(57)【特許請求の範囲】
【請求項１】
前後方向に移動可能なケースと、前後方向に回動して上記ケースを開閉するフタとを設け、
上記フタは両側面上部の一部を切り欠いた切り欠き部を有し、
上記ケースを前方へ引き出したとき、上記フタが上記ケースとの位置関係を維持して上記ケースと一体に前方へ移動した後に、上記ケースの移動と連動して上記フタが開閉し、
上記フタを開いたときにケース棚の前端部が上記切り欠き部内に位置することを特徴とする冷蔵庫。
【請求項２】
上記フタの両側面上部に回動中心を設け、上記フタの前面部から上記回動中心までの距離は、上記フタの上端から上記回動中心までの距離よりも大きいことを特徴とする請求項１に記載の冷蔵庫。
【請求項３】
上記フタを閉じた状態において、上記フタの重心位置よりも後方に上記フタを支えるケース前部支え部とケース後部支え部を上記ケースに設けるとともに、上記ケース後部支え部の前方に上記フタに掛かるケース後部掛かり部を設けたことを特徴とする請求項１または請求項２に記載の冷蔵庫。
【請求項４】
上記ケース前部支え部は略垂直方向に設けたことを特徴とする請求項３に記載の冷蔵庫。
【請求項５】
上記ケースを前方に引き出して上記フタを開いたときに、上記フタの上記ケースに当たるフタ当たり部は、上記フタの重心位置より後方にあることを特徴とする請求項１から請求項４のいずれかに記載の冷蔵庫。
【請求項６】
上記ケースと一体に上記フタが前後方向に移動する領域の少なくとも一部では、上記フタに設けた回動のためのフタ回動掛かり部と上記フタ回動掛かり部に嵌合する嵌合掛かり部との間に、上記フタを閉じた状態で隙間を設けたことを特徴とする請求項１から請求項５のいずれかに記載の冷蔵庫。
【請求項７】
上記ケースと一体に上記フタが前後方向に移動する領域の少なくとも一部では、上記フタに設けた回動のためのフタ回動掛かり部と上記フタ回動掛かり部に嵌合する嵌合掛かり部との間に、上記フタを閉じた状態で隙間を設け、
上記隙間のうち上記フタ回動掛かり部よりも上方の隙間は、上記ケース後部掛かり部とこれに掛かるフタ後部掛かり部との掛かり代よりも小さく形成され、
前記領域で上記フタが上方へ移動したとき、上記フタが閉じたときに上記ケース前部支え部に当たるフタ前部当たり部は、上記ケース前部支え部の略垂直面の延長上にあることを特徴とする請求項４に記載の冷蔵庫。
【発明の詳細な説明】
【０００１】
【発明の属する技術分野】
本発明は、前後に移動可能なケースとその前方に開閉するフタを持つ冷蔵庫に関するものである。
【０００２】
【従来の技術】
従来のこの種の冷蔵庫は、特開昭６２−７８４号公報に開示されているように、冷蔵庫内で前後方向に引き出し自在に支持された引出し式ケース前面を開閉するため、天井壁側に回動自在に軸支されてなる前面蓋を備えてなるものである。
【０００３】
【発明が解決しようとする課題】
上記のような従来の冷蔵庫では、前面蓋が閉状態のとき、前面蓋の支軸部は嵌合する垂直溝部にあるため、前面蓋上端と天井壁との隙間は大きくなり、ケース内上方の密閉性が悪化し、この部での冷却効率の低下した冷蔵庫となり、また、前面蓋を開いたとき、前面蓋は天井壁の下にあり、ケースに収納する貯蔵物の高さは、天井壁より下の前面蓋の下端より低い物しか収納できず、ケース内の上下方向に対する収納効率が低下した冷蔵庫となるという課題がある。
【０００４】
【課題を解決するための手段】
本発明の冷蔵庫は上記のような課題を解決したものであり、前後方向に移動可能なケースと、前後方向に回動して上記ケースを開閉するフタとを設け、上記フタは両側面上部の一部を切り欠いた切り欠き部を有し、上記ケースを前方へ引き出したとき、上記フタが上記ケースとの位置関係を維持して上記ケースと一体に前方へ移動した後に、上記ケースの移動と連動して上記フタが開閉し、上記フタを開いたときにケース棚の前端部が上記切り欠き部内に位置することを特徴とするものである。この構成により、上記ケースと位置関係を変えずに上記フタが前方へ一体に動くため、フタの回動中心の位置に関係なくフタ前面上方とケース棚との隙間を小さくでき、ケース上方での密閉性がたかまり、この部屋での冷却効率の上がった冷蔵庫が得られる。また、フタ開閉運動とケース棚位置との間に制約がなくなり、回動中心をフタの上方に設定でき、フタを開いたときのフタの位置が上方に保てるため、ケース内の上下方向に対する収納効率が増した冷蔵庫が得られる。
【０００５】
また、フタを開いたときのフタ回動中心を、ケース棚前端より後方に設定できるため、フタ閉状態での上記ケースと位置関係を変えずに上記フタが前方へ一体に動く移動距離が短くなり、この時の不安定状態での移動量が少なくなるばかりでなく、フタ回動中心を支える側壁が、ケース棚前端より前に出なく、ケース収納時のフタ閉状態で冷蔵庫の扉を閉じたとき、扉背面とケース棚前端との空間を有効に利用できる冷蔵庫が得られる。
【０００６】
また本発明は、上記構成の冷蔵庫において、上記フタは両側面上部に回動中心を有し、上記フタの前面部から上記回動中心までの距離は、上記フタの上端から上記回動中心までの距離よりも大きいことを特徴とするものである。この構成により、フタを開いたときのフタ前面部の位置がより上方に保てるため、ケース内の上下方向に対する収納効率がいっそう増した冷蔵庫が得られる。
【０００７】
また本発明は、上記構成の冷蔵庫において、上記フタを閉じた状態において、上記フタの重心位置よりも後方に上記フタを支えるケース前部支え部とケース後部支え部を上記ケースに設けるとともに、上記ケース後部支え部の前方には上記フタに掛かるケース後部掛かり部を設けたことを特徴とするものである。この構成により、フタ閉状態でケースと共に前後方向にフタが移動のとき、上記ケース後部掛かり部にフタが引っ掛かり、安定した状態でケースと共にフタが移動できるようになる。
【０００８】
また本発明は、上記構成の冷蔵庫において、上記ケース前部支え部は略垂直方向に設けたことを特徴とするものである。この構成により、上記ケース前部支え部が略垂直であり上下方向にはフタを支えないため、上記ケース後部掛かり部へのフタの掛かりがさらに強くなり、いっそう安定した状態でケースと共にフタが移動できるようになる。
【０００９】
また本発明は、上記構成の冷蔵庫において、上記ケースを前方に引き出して上記フタを開いたときに、上記フタの上記ケースに当たるフタ当たり部は、上記フタの重心位置より後方にあることを特徴とするものである。この構成により、上記フタ回動掛かり部が嵌合掛かり部の前端上方に常に当たった状態となり、上記フタの回動が安定し円滑に行われる。
【００１０】
また本発明は、上記構成の冷蔵庫において、上記ケースと一体に上記フタが前後方向に移動する領域の少なくとも一部では、上記フタに設けた回動のためのフタ回動掛かり部と上記フタ回動掛かり部に嵌合する嵌合掛かり部との間に、上記フタを閉じた状態で隙間を設けたことを特徴とするものである。この構成により、フタ閉状態でケースと共に前後方向にフタが移動のとき、上記嵌合掛かり部での上記フタ回動掛かり部の摩擦がなく、いっそう安定した状態でケースと共にフタが移動できるようになる。
【００１１】
また本発明は、上記構成の冷蔵庫において、上記ケースと一体に上記フタが前後方向に移動する領域の少なくとも一部では、上記フタに設けた回動のためのフタ回動掛かり部と上記フタ回動掛かり部に嵌合する嵌合掛かり部との間に、上記フタを閉じた状態で隙間を設け、上記隙間のうち上記フタ回動掛かり部よりも上方の隙間は、上記ケース後部掛かり部とこれに掛かるフタ後部掛かり部との掛かり代よりも小さく形成され、前記領域で上記フタが上方へ移動したとき、上記フタが閉じたときに上記ケース前部支え部に当たるフタ前部当たり部は、上記ケース前部支え部の略垂直面の延長上にあることを特徴とするものである。この構成により、フタ閉状態でケースと共に前後方向にフタが移動のとき、ケースが振動してもフタがケース後部掛かり部から前へ外れることなく移動でき、さらに安定した状態でケースと共にフタが移動できるようになる。
【００１２】
【発明の実施の形態】
以下、本発明の冷蔵庫の実施の形態を図面とともに説明する。
【００１３】
図１は本発明による冷蔵庫の本体の側面から見た要部断面図、図２は図１のケースを前方に引いてフタが開きかけたときの隔離室付近の要部断面図、図３は図１のケースを前方に引いてフタが開ききったときの隔離室付近の要部断面図、図４は図１のフタが上方へ上がったときの要部拡大図をあらわす。
【００１４】
図１において、１は冷蔵庫本体、２は冷蔵室、３は野菜室、４は隔離室、５は上記冷蔵室２と野菜室３との間に設けた仕切部である。６は前面仕切部、７は隔離室４に納まるケースである。８は上記ケース７の側面外側に設けられたケースガイドであり、９ａおよび９ｂは、隔離室側壁９に各々設けられた側壁ガイドで、ケースガイド８を上下より挟み込んでおり、９ａは側壁ガイドウエ、９ｂは側壁ガイドシタである。なお、ケースガイド８，側壁ガイドウエ９ａ，側壁ガイドシタ９ｂはケース７を前後方向に移動可能にし、その動きを導いている。
【００１５】
また、ケースガイド８の下面前方にはケース７が隔離室４へ収納のとき、収納完了直前に自動的にケース７の自重で収納できるよう、ケースガイド傾斜面８ａを設けている。１０はフタでフタ閉状態ではケース７の上に乗っている。なお、１１はケース棚、１２は隔離室冷気吐き出し口で、１３は冷蔵室扉、１３ａは扉背面、１４は冷蔵室扉１３に設けられたドアポケットである。
【００１６】
上記隔離室冷気吐き出し口１２から吐き出された冷気はケース７に入り込みケース７内の貯蔵物を冷却し、その後、冷蔵室２の上方から降りて来る比較的暖かい冷気と混ざり合い仕切部５の一部に設けられた仕切開口部５ａを通って野菜室３に流れ込む。このとき、ケース７は直接冷気が隔離室冷気吐き出し口１２から流れ込むため冷蔵室２より低い温度に保たれる。また、フタ１０の上方とケース棚１１の間が狭いため、隔離室４を効率よく冷却することができる。
【００１７】
図２において、ケース７の前方に位置するケース取っ手部７ａを下方より指をかけケース７を引き出すと、ケース７とケース７の上に乗った状態のフタ１０は一体となって互いにその位置関係を変えずに２点鎖線の位置まで移動する。このとき、ケース７にはフタ閉状態でフタ重心位置１０ａより後方にフタ１０の支え部を設け、ケース後部支え部７ｂはケース前部支え部７ｃより上方に位置し、前記ケース後部支え部７ｂの前方にはフタ１０に掛かるケース後部掛かり部７ｄを設けている。
【００１８】
そのため、フタ１０には常に前方向に回ろうとする力が働き、ケース後部掛かり部７ｄとケース前部支え部７ｃにてその動きが阻止され、フタ１０がケース７に食らい付いた状態になり、安定してケース７と共にフタ１０が移動できる。
【００１９】
また、ケース前部支え部７ｃを略垂直方向に設けてあるため、この部では上下方向にはフタ１０を支えず、いっそう上記効果が増し、より安定してケース７と共にフタ１０が移動できる。
【００２０】
さらに、フタ１０の回動のためのフタ両側面から外側へ突き出した円筒状のフタ回動掛かり部１０ｂと、それに嵌合する隔離室側壁９に設けられた凹状の嵌合掛かり部９ｃとの間には、前後方向にフタ１０が移動する領域の一部で、上下方向に隙間を持たせてあるため、フタ閉状態でケース７と共に前後方向にフタ１０が移動のとき、上記嵌合掛かり部９ｃでの上記フタ回動掛かり部１０ｂの摩擦がなく、いっそう安定した状態でケース７と共にフタ１０が移動できるようになる。
【００２１】
なお、本図では、上記フタ回動掛かり部１０ｂを円筒状の突起としているが、この形状に限らず、回動のための突起であれば良く、また、フタ回動掛かり部１０ｂと嵌合掛かり部９ｃとの凹凸の関係が逆であっても良いことは明白である。
【００２２】
その後、さらにケース７を引き出すと、フタ当たり部１０ｃをケース側壁上端７ｅが押し上げ、フタ回動掛かり部１０ｂを軸にしてフタ１０は回動して開く。このとき、側壁ガイドシタ９ｂの後方上側には、ケースガイド傾斜面８ａと同様の傾斜面のガイドシタ傾斜面９ｄが設けてあり、ケース７を略水平に移動さすため、ケースガイド傾斜面８ａによってケース７が持ち上がったとき、ケースガイド８の後方をも持ち上げるためのガイドシタ傾斜面９ｄのない場合と比べると、ガイドシタ前部上端９ｅを支点としてケース後部掛かり部７ｄ先端が低くなり、フタ後部掛かり部１０ｄ先端がケース後部掛かり部７ｄ先端からさらに離れた動きとなり、いっそうケース後部掛かり部７ｄとフタ後部掛かり部１０ｄとの掛かり代が大きくとれ、フタ閉状態ではよりフタ１０のケース７に対する食らい付きを増すことができる。
【００２３】
なお、ケース後部支え部７ｂがケース前部支え部７ｃより上方に位置しているため、フタ当たり部１０ｃにつながるフタ後部掛かり部１０ｄの後方がケース側壁上端７ｅに押されフタ１０が開き始めるとき、フタ後部掛かり部１０ｄの回動量よりフタ前部当たり部１０ｅの回動量のほうが多く、フタ１０が前方へ開く方向への回動によるケース前部支え部７ｃとケース後部掛かり部７ｄに対するフタ１０の食らい付きの恐れはなくなる。また、ケース７を後方へ押し込むときは、フタ１０とケース７の動きは、上記それぞれの逆となることは明白である。
【００２４】
図３において、さらにケース７を引き出すとフタ当たり部１０ｃをケース側壁上端７ｅがさらに押し上げ、フタ回動掛かり部１０ｂを軸にしてフタ１０は回動しフタ開状態となる。ケース７は、ケースガイド８のガイド下部突起部８ｂが、側壁ガイドシタ９ｂのガイドシタ上部突起部９ｆに当たるまで、前方に引き出される。通常はこの状態でケース７の中にある貯蔵物の出し入れが行われる。
【００２５】
このとき、フタ閉状態で、フタ１０の両側面上方には、上記フタ１０の上端からフタ回動中心までの垂直方向の距離よりも、フタ１０の前面部から後方へ長い距離の位置に、回動のためのフタ回動掛かり部１０ｂの回動中心を設けているため、フタ１０を開いたときのフタ前面部の位置がケース棚１１の上方に保つことができ、ケース７内にはケース棚１１の下面近くまでの高さの貯蔵物が収納できるようになり、上下方向に対する収納効率が増す。
【００２６】
また、フタ１０を開いたとき、フタ１０がケース棚１１に当たらないよう、上記フタ側面上方の一部を切り欠いたフタ切り欠部１０ｆを設けているので、フタ１０を開いたときのフタ回動中心を、ケース棚１１前端より後方に設定でき、フタ回動中心を支える隔離室側壁９が、ケース棚１１前端より前に出なく、ケース収納時のフタ閉状態で冷蔵室扉（図１における符号１３）を閉じたとき、扉背面（図１における符号１３ａ）とケース棚１１前端との空間を有効に利用でき、扉背面側にあるドアポケット（図１における符号１４）を大きくできる。
【００２７】
さらに、フタ１０を開いたとき、ケース側壁上端７ｅに当たるフタ当たり部１０ｃは、フタ重心位置１０ａより後方にあるため、フタ回動掛かり部１０ｂが嵌合掛かり部９ｃの前端上方に常に当たった状態となり、フタ１０の回動が安定し円滑に行われる。
【００２８】
なお、ガイド下部突起部８ｂがガイドシタ上部突起部９ｆに当たるまでケース７が引き出された後、ケース取って部７ａを上方に引き上げ、さらに手前に引くと、この過程でも、フタ１０がケース棚１１の前方に当たらない所まで切り欠かれているため、フタ１０は図３の位置よりさらに上方に押し上げられ、ガイド下部突起部８ｂはガイドシタ上部突起部９ｆを乗り越えケース７は隔離室４内から取り出される。そのため、ケース７の隔離室４からの取り出しが容易となり、簡単にケース７を単体で洗うことができ、よりケース７を清潔に保てる。
【００２９】
さらにこのとき、フタ切り欠き部１０ｆ近くのフタ１０の先端は、ケース棚１１の貯蔵物を置く凹部の所までは達しない位置となるよう配慮されている。このことにより、フタ１０を開いたときケース棚１１の上にある貯蔵物にフタ１０が当たらないため、ケース７の引き出しによるフタ１０の開閉動作が滑らかな動きとなり、ケース７の隔離室４内からの取り出しを含む出し入れも滑らかなものになる。また、ケース７を後方へ押し込むときは、フタ１０とケース７の動きは、上記それぞれの逆となることは明白である。
【００３０】
図４において、フタ回動掛かり部１０ｂと嵌合掛かり部９ｃとの上方の隙間はケース後部掛かり部７ｄとフタ後部掛かり部１０ｄとの掛かり代より小さくしてあり、また、フタ１０が振動等で上方へ移動したとき、フタ前部当たり部１０ｅはケース前部支え部７ｃの略垂直面の上にあるため、フタ閉状態でケース７と共に前後方向にフタ１０が移動のとき、ケース７が振動してもフタ１０がケース後部掛かり部７ｄから前へ外れることなく移動でき、安定した状態でケース７と共にフタ１０が移動できるようになる。
【００３１】
なお、上記掛かり代とは、フタ１０がケース７の上に乗ってフタ閉状態にあるとき（図２の２点鎖線のフタ１０とケース７の状態）の、曲面部を含むケース後部掛かり部７ｄの上端からフタ後部掛かり部１０ｄ下端までの垂直方向の距離を言う。
【００３２】
また、上記はフタ切り欠き部１０ｆを設け、フタ回動中心をケース棚１１の前端より後方に設けたときの状態の説明であるが、上記フタ切り欠き部１０ｆを設けずに、ケースの前後運動にともない、その前後運動領域の一部をケースと位置関係を変えずに、フタを開いたときケース棚に当たらない位置のケース棚前端より前へフタが一体に動き、フタ回動中心を支える側壁をその位置まで設けると、フタ前面上方とケース棚との隙間を小さくしても、フタを開いたとき、ケース棚前端より前にフタが移動しているので、フタの回動中心の位置に関係なくフタ開閉の回動は可能となり、フタ前面上方とケース棚との隙間を小さくできるため、フタ閉状態でケース上方での密閉性がたかまり、この部屋での冷却効率の上がった冷蔵庫が得られ、また、フタがケース棚前端より前に出ているため、フタ開閉運動とケース棚位置との間に制約がなくなり、回動中心を上方に設定でき、フタを開いたとき、フタの上方にある回動中心によってフタは上方に保たれ、ケース内の上下方向に対する収納効率が増した冷蔵庫が得られることは明白である。
【００３３】
【発明の効果】
本発明によれば、ケースと位置関係を変えずにフタが前方へ一体に動くため、フタの回動中心の位置に関係なくフタ前面上方とケース棚との隙間を小さくでき、ケース上方での密閉性がたかまり、この部屋での冷却効率の上がった冷蔵庫が得られる。また、フタ開閉運動とケース棚位置との間に制約がなくなり、回動中心をフタの上方に設定でき、フタを開いたときのフタの位置が上方に保てるため、ケース内の上下方向に対する収納効率が増した冷蔵庫が得られる。
【００３４】
また本発明によれば、フタを開いたときのフタ前面部の位置がより上方に保てるため、ケース内の上下方向に対する収納効率がいっそう増した冷蔵庫が得られる。
【００３５】
また本発明によれば、フタを開いたときのフタ回動中心を、ケース棚前端より後方に設定できるため、フタ閉状態の上記ケースと位置関係を変えずに、上記フタが前方へ一体に動く移動距離が短くなり、この時の不安定状態での移動量が少なくなるばかりでなく、フタ回動中心を支える側壁が、ケース棚前端より前に出なく、ケース収納時のフタ閉状態で冷蔵庫の扉を閉じたとき、扉背面とケース棚前端との空間を有効に利用できる冷蔵庫が得られる。
【００３６】
また本発明によれば、フタ閉状態でケースと共に前後方向にフタが移動のとき、ケース後部掛かり部にフタが引っ掛かり、安定した状態でケースと共にフタが移動できるようになる。
【００３７】
また本発明によれば、ケースの前部支え部が略垂直であり上下方向にはフタを支えないため、さらにケースへの掛かりが強くなり、いっそう安定した状態でケースと共にフタが移動できるようになる。
【００３８】
また本発明によれば、フタ回動掛かり部が嵌合掛かり部の前端上方に常に当たった状態となり、フタの回動が安定し円滑に行われる。
【００３９】
また、本発明によれば、フタ閉状態でケースと共に前後方向にフタが移動のとき、嵌合掛かり部でのフタ回動掛かり部の摩擦がなく、いっそう安定した状態でケースと共にフタが移動できるようになる。
【００４０】
また本発明によれば、フタ閉状態でケースと共に前後方向にフタが移動のとき、ケースが振動してもフタがケース後部掛かり部から前へ外れることなく移動でき、さらに安定した状態でケースと共にフタが移動できるようになる。
【図面の簡単な説明】
【図１】本発明による冷蔵庫の本体の側面から見た要部断面図である。
【図２】図１のケースを前方に引いてフタが開きかけたときの隔離室付近の要部断面図である。
【図３】図１のケースを前方に引いてフタが開ききったときの隔離室付近の要部断面図である。
【図４】図１のフタが上方へ上がったときの要部拡大図である。
【符号の説明】
７  ケース
７ｂ  ケース後部支え部
７ｃ  ケース前部支え部
７ｄ  ケース後部掛かり部
９ｃ  嵌合掛かり部
１０  フタ
１０ａ  フタ重心位置
１０ｂ  フタ回動掛かり部
１０ｃ  フタ当たり部
１０ｄ  フタ後部掛かり部
１０ｅ  フタ前部当たり部
１１  ケース棚
【図１】
0004439025.tif 000002
【図２】
0004439025.tif 000003
【図３】
0004439025.tif 000004
【図４】
0004439025.tif 000005